(57)【要約】      （修正有）【課題】印刷システムにおいて、巻取紙の種類に応じて各種の印刷設定の調整を行うことで作業性の向上を図ると共に印刷品質の向上を図る。【解決手段】巻取紙Ｗから繰り出されるシートに対して印刷を行う印刷機Ｐと、印刷機Ｐにおける印刷設定値を調整する調整装置と、巻取紙Ｗの製造情報を取り込むバーコードリーダ（情報取込装置）１０４と、バーコードリーダ１０４が取り込んだ巻取紙Ｗの製造情報に基づいて調整装置を制御する印刷機制御装置１１とを設ける。【選択図】図１
2019142027.tif 000002
【特許請求の範囲】
【請求項１】
巻取紙から繰り出されるシートに対して印刷を行う印刷機と、
前記印刷機における印刷設定値を調整する調整装置と、
巻取紙の製造情報を取り込む情報取込装置と、
前記情報取込装置が取り込んだ巻取紙の製造情報に基づいて前記調整装置を制御する制御装置と、
を備えることを特徴とする印刷システム。
【請求項２】
前記情報取込装置は、巻取紙の表面に記載された製造情報を取り込むことを特徴とする請求項１に記載の印刷システム。
【請求項３】
前記情報取込装置は、巻取紙の表面に記載されたバーコードを読み込むことで巻取紙の製造情報を取り込むことを特徴とする請求項１または請求項２に記載の印刷システム。
【請求項４】
前記情報取込装置は、巻取紙が紙庫に搬入されるときに巻取紙の製造情報を取り込むことを特徴とする請求項１から請求項３のいずれか一項に記載の印刷システム。
【請求項５】
巻取紙を繰り出したシートを印刷ユニットに供給すると共にシートの厚さを算出する給紙ユニットが設けられ、前記制御装置は、前記情報取込装置が取り込んだ巻取紙の製造情報を前記給紙ユニットが算出したシートの厚さにより補正することを特徴とする請求項１から請求項４のいずれか一項に記載の印刷システム。
【請求項６】
前記給紙ユニットは、紙継ぎ装置が設けられ、前記制御装置は、前記紙継ぎ装置の作動後に、紙継ぎがなされた巻取紙の製造情報に基づいて前記調整装置を制御することを特徴とする請求項５に記載の印刷システム。
【請求項７】
前記情報取込装置が取り込んだ巻取紙の製造情報を記憶する記憶部が設けられ、前記制御装置は、前記記憶部に記憶されている巻取紙の製造情報に基づいて前記調整装置を制御することを特徴とする請求項１から請求項６のいずれか一項に記載の印刷システム。
【請求項８】
前記制御装置は、途中まで使用した巻取紙の製造情報を前記記憶部に記憶することを特徴とする請求項７に記載の印刷システム。
【請求項９】
前記記憶部は、巻取紙の製造情報に応じて調整された印刷設定値を記憶することを特徴とする請求項７または請求項８に記載の印刷システム。
【発明の詳細な説明】
【技術分野】
【０００１】
本発明は、巻取紙を供給して印刷を行う印刷システムに関するものである。
【背景技術】
【０００２】
例えば、新聞用オフセット輪転印刷機は、給紙装置と印刷装置とウェブパス装置と折機とから構成されている。印刷装置は、複数の印刷ユニットを有し、各印刷ユニットは、それぞれ巻取紙から繰り出されるシートに対して印刷を行う。ウェブパス装置は、印刷された複数のシートを縦裁断した後に所定の順序で重ね合せ、折機は、重ね合わされた複数のシートを縦折りしてから横裁断し、再び横折りして新聞を製作する。
【０００３】
このような新聞用オフセット輪転印刷機では、使用する巻取紙の規定された規格上の紙厚や紙種（品種、連数、巻幅等）などに応じて各種の調整作業が必要となる。例えば、給紙装置は、巻取紙の紙厚に応じて張力を調整する必要があり、印刷装置は、巻取紙の紙厚に応じて駆動モータの出力を調整する必要があり、ウェブパス装置は、巻取紙の紙厚に応じてシートの走行位置を調整する必要があり、折機は、巻取紙の紙厚に応じてニップ厚や折込ローラの隙間を調整する必要がある。
【０００４】
ところで、巻取紙は、特定の紙厚や紙種で製造されたものであっても、使用する材料や製造する製紙会社や抄紙機などが相違すると、紙厚などに若干の変動が生じる。従来、紙継作業により巻取紙が変わったとき、作業者は、印刷物の印刷状態に応じて各種の調整作業を実施している。そのため、印刷途中に、印刷物の印刷品質が一時的に低下したり、不良が発生したりすることがある。そこで、巻取紙の種類が変更されても、印刷品質を確保しつつ、印刷機を早期に運転させるものとして、例えば、下記特許文献１に記載されたものがある。この特許文献１に記載された印刷機の情報共有システムは、新聞輪転印刷機の機種情報と、印刷資材の資材情報と、新聞輪転印刷機の運転に関する運転情報とを関連付けて記憶させ、印刷時にこの関連付けられた運転情報を用いるものである。
【先行技術文献】
【特許文献】
【０００５】
【特許文献１】特開２０１３−１６９７２１号公報
【発明の概要】
【発明が解決しようとする課題】
【０００６】
上述した特許文献１に記載された印刷機の情報共有システムは、新聞輪転印刷機の機種情報と、印刷資材の資材情報と、新聞輪転印刷機の運転に関する運転情報とを関連付けた運転情報を用いて運転するものである。しかし、印刷資材の資材情報は、巻取紙の紙種に関する情報であることから、高精度な印刷品質を確保することができないおそれがある。
【０００７】
本発明は、上述した課題を解決するものであり、各種の印刷設定の調整を適正に行うことで作業性の向上を図ると共に印刷品質の向上を図る印刷システムを提供することを目的とする。
【課題を解決するための手段】
【０００８】
上述の目的を達成するための本発明の印刷システムは、巻取紙から繰り出されるシートに対して印刷を行う印刷機と、前記印刷機における印刷設定値を調整する調整装置と、巻取紙の製造情報を取り込む情報取込装置と、前記情報取込装置が取り込んだ巻取紙の製造情報に基づいて前記調整装置を制御する制御装置と、を備えることを特徴とするものである。
【０００９】
従って、制御装置は、情報取込装置が取り込んだ巻取紙の製造情報に基づいて調整装置を制御することで、印刷機における印刷設定値を調整することから、同じ紙種の巻取紙であっても、厚さなどが変動するが、巻取紙の製造情報に基づいて印刷設定値を調整するため、各種の印刷設定の調整を適正に行うことができ、その結果、作業性の向上を図ると共に印刷品質の向上を図ることができる。
【００１０】
本発明の印刷システムでは、前記情報取込装置は、巻取紙の表面に記載された製造情報を取り込むことを特徴としている。
【００１１】
従って、情報取込装置が巻取紙の表面に記載された製造情報を取り込むことから、容易に巻取紙の製造情報を取り込むことができる。
【００１２】
本発明の印刷システムでは、前記情報取込装置は、巻取紙の表面に記載されたバーコードを読み込むことで巻取紙の製造情報を取り込むことを特徴としている。
【００１３】
従って、情報取込装置が巻取紙の表面に記載されたバーコードを読み込むことで巻取紙の製造情報を取り込むことから、容易に巻取紙の製造情報を取り込むことができる。
【００１４】
本発明の印刷システムでは、前記情報取込装置は、巻取紙が紙庫に搬入されるときに巻取紙の製造情報を取り込むことを特徴としている。
【００１５】
従って、情報取込装置は巻取紙が紙庫に搬入されるときに巻取紙の製造情報を取り込むことから、制御装置は、ここで取り込んだ巻取紙の製造情報を使用すればよく、作業性の向上を図ることができる。
【００１６】
本発明の印刷システムでは、巻取紙を繰り出したシートを印刷ユニットに供給すると共にシートの厚さを算出する給紙ユニットが設けられ、前記制御装置は、前記情報取込装置が取り込んだ巻取紙の製造情報を前記給紙ユニットが算出したシートの厚さにより補正することを特徴としている。
【００１７】
従って、巻取紙は、その使用環境により伸びや縮みが発生して厚さが変動するおそれがあることから、制御装置は、巻取紙の製造情報を算出したシートの厚さにより補正することで、調整装置を高精度に制御することができる。
【００１８】
本発明の印刷システムでは、前記給紙ユニットは、紙継ぎ装置が設けられ、前記制御装置は、前記紙継ぎ装置の作動後に、紙継ぎがなされた巻取紙の製造情報に基づいて前記調整装置を制御することを特徴としている。
【００１９】
従って、制御装置は、紙継ぎ装置の作動後に巻取紙の製造情報に基づいて調整装置を制御することから、印刷途中であっても、調整装置を高精度に制御することができる。
【００２０】
本発明の印刷システムでは、前記情報取込装置が取り込んだ巻取紙の製造情報を記憶する記憶部が設けられ、前記制御装置は、前記記憶部に記憶されている巻取紙の製造情報に基づいて前記調整装置を制御することを特徴としている。
【００２１】
従って、情報取込装置が取り込んだ巻取紙の製造情報を記憶部に記憶し、制御装置は、記憶部に記憶されている巻取紙の製造情報に基づいて調整装置を制御することから、複数種類の巻取紙に対応することができる。
【００２２】
本発明の印刷システムでは、前記制御装置は、途中まで使用した巻取紙の製造情報を前記記憶部に記憶することを特徴としている。
【００２３】
従って、制御装置が途中まで使用した巻取紙の製造情報を記憶部に記憶することから、印刷時に、途中まで使用した巻取紙を使用しても、制御装置は、記憶部に記憶されている途中まで使用した巻取紙の製造情報に基づいて調整装置を制御するため、調整装置を適正に制御することができる。
【００２４】
本発明の印刷システムでは、前記記憶部は、巻取紙の製造情報に応じて調整された印刷設定値を記憶することを特徴としている。
【００２５】
従って、制御装置は、記憶部に記憶された巻取紙の製造情報に応じた印刷設定値に基づいて調整装置を制御するため、調整装置を適正に制御することができる。
【発明の効果】
【００２６】
本発明の印刷システムによれば、各種の印刷設定の調整を適正に行うことで作業性の向上を図ることができると共に、印刷品質の向上を図ることができる。
【図面の簡単な説明】
【００２７】
【図１】図１は、本実施形態の印刷システムを表すブロック構成図である。
【図２】図２は、新聞用オフセット輪転印刷機を表す概略構成図である。
【図３】図３は、印刷システムによる印刷設定調整作業を表すフローチャートである。
【発明を実施するための形態】
【００２８】
以下に添付図面を参照して、本発明に係る印刷システムの好適な実施形態を詳細に説明する。なお、この実施形態により本発明が限定されるものではなく、また、複数の実施形態がある場合には、各実施形態を組み合わせて構成するものも含むものである。
【００２９】
図１は、本実施形態の印刷システムを表すブロック構成図である。
【００３０】
本実施形態において、図１に示すように、印刷システム１０は、新聞用オフセット輪転印刷機（以下、印刷機）Ｐを備え、紙庫システム１００で管理されている複数の巻取紙Ｗの製造情報に基づいて印刷機Ｐを制御するものである。
【００３１】
まず、本実施形態の印刷システムに適用される印刷機について説明する。図２は、新聞用オフセット輪転印刷機を表す概略構成図である。
【００３２】
図２に示すように、新聞用オフセット輪転印刷機（印刷機）Ｐは、給紙装置Ｒと、インフィード装置Ｉと、印刷装置Ｕと、ウェブパス装置Ｄと、折機Ｆとから構成されている。給紙装置Ｒは、複数（本実施形態では、７台）の給紙ユニットＲ１〜Ｒ７を有し、インフィード装置Ｉは、複数（本実施形態では、７台）のインフィードユニットＩ１〜Ｉ７を有し、印刷装置Ｕは、複数（本実施形態では、６台）の印刷ユニットＵ１〜Ｕ６を有し、ウェブパス装置Ｄは、複数（本実施形態では、２台）のウェブパスユニットＤ１，Ｄ２を有し、折機Ｆは、複数（本実施形態では、２台）の折ユニットＦ１，Ｆ２を有している。
【００３３】
この場合、印刷ユニットＵ１〜Ｕ６を６台として説明したが、各印刷ユニットＵ１〜Ｕ６は、４色刷りが可能であると共に、上下に分割して１２台の２色刷りが可能な印刷ユニットＵ１１，Ｕ１２，Ｕ２１・・・Ｕ６１，Ｕ６２として用いることができる。また、２つの折ユニットＦ１，Ｆ２を上下に並べて記載したが、実際には、紙面に直交する方向に並んで配置される操作側折ユニットＦ１と駆動側折ユニットＦ２となっている。更に、印刷装置Ｕを２つの部分から記載したが、機能上２つに分けて記載しただけであり、実際には、１つの装置となっている。
【００３４】
巻取紙Ｗは、連続するシートＳをロール状に巻いたものである。給紙装置Ｒにおいて、給紙ユニットＲ１〜Ｒ７は、ほぼ同様の構成をなし、３つの巻取紙Ｗを保持する保持アームを有している。給紙ユニットＲ１〜Ｒ７は、保持アームを所定角度だけ回動することで、所定の巻取紙Ｗを給紙位置に停止させることができる。給紙ユニットＲ１〜Ｒ７は、所定の巻取紙Ｗが給紙位置に停止した状態で支持軸を回転することで、巻取紙ＷからシートＳを連続して繰り出すことができる。
【００３５】
また、給紙ユニットＲ１〜Ｒ７は、図示しない紙継装置を有している。紙継装置は、シートＳを繰り出している巻取紙Ｗが残り少なくなると、保持アームを所定角度だけ回動し、待機位置にある新しい巻取紙Ｗを給紙位置に移動すると共に、使用中の巻取紙ＷのシートＳに新しい巻取紙ＷのシートＳを接続することで、紙継ぎを行うことができる。更に、給紙ユニットＲ１〜Ｒ７は、図示しないロール径計測装置を有している。ロール径計測装置は、シートＳを繰り出している巻取紙Ｗの外径を計測するものであり、巻取紙Ｗの外径が所定径以下になると、紙継装置を作動させる。このとき、ロール径計測装置は、巻取紙Ｗから繰り出されるシートＳの厚さを算出することができる。
【００３６】
インフィード装置Ｉにおいて、インフィードユニットＩ１〜Ｉ７は、ほぼ同様の構成をなし、印刷装置Ｕの各印刷ユニットＵ１〜Ｕ６に送り込むシートＳの張力を調整することで、印刷装置Ｕを走行するシートＳの張力を適正値に安定して維持するものである。例えば、各インフィードユニットＩ１〜Ｉ７は、インフィードローラ、紙押えゴムローラ、ダンサローラ、ガイドローラなどを有している。そして、ダンサローラをシートＳの張り方向に付勢することでシートＳの張力を適正にし、このダンサローラの揺動に応じてインフィードローラの周速を変更し、シートＳの適正な張力を維持している。
【００３７】
印刷装置Ｕにおいて、印刷ユニットＵ１〜Ｕ６は、両面４色印刷を行うことができる多色刷印刷ユニットである。但し、各印刷ユニットＵ１〜Ｕ６は、上下に分割することで、両面２色印刷を行うことができる印刷ユニットＵ１１〜Ｕ６２とすることができる。各印刷ユニットＵ１１〜Ｕ６２は、ほぼ同様の構成をなし、図示しないが、インキ供給装置、湿し水供給装置、インキ着ローラ、版胴、ブランケット胴、駆動装置などを有している。
【００３８】
ウェブパス装置Ｄにおいて、ウェブパスユニットＤ１は、印刷ユニットＵ１〜Ｕ３に対して設けられ、ウェブパスユニットＤ２は、印刷ユニットＵ４〜Ｕ６に対して設けられている。各ウェブパスユニットＤ１，Ｄ２は、ほぼ同様の構成をなし、シートＳを縦（シートＳの天地長手方向、シートＳの搬送方向）に沿ってその幅方向の中央部で裁断するスリッタ、縦裁断したシートＳの搬送経路を設定するターンバー、シートＳにおける天地長手方向における搬送位置を調整するコンペンセータなどを有している。
【００３９】
即ち、各印刷ユニットＵ１〜Ｕ３で印刷が施された各シートＳは、ウェブパスユニットＤ１にて、スリッタにより縦裁断され、ターンバーにより搬送経路が変更され、コンペンセータにより搬送位置が調整されてから所定の順番に重ね合わされる。また、印刷ユニットＵ４〜Ｕ６で印刷が施された各シートＳは、ウェブパスユニットＤ２にて、スリッタにより縦裁断され、ターンバーにより搬送経路が変更され、コンペンセータにより搬送位置が調整されてから所定の順番に重ね合わされる。
【００４０】
折機Ｆにて、２つの折ユニットＦ１，Ｆ２は、操作側と駆動側に配設されている。即ち、ウェブパスユニットＤ１から複数のシートＳ１が重ねられて導入されると、折ユニットＦ１は、シートＳ１を縦折りし、所定の長さで横裁断し、横折りして折帖を形成し、新聞として排紙することができる。また、ウェブパスユニットＤ２から複数のシートＳ２が重ねられて導入されると、折ユニットＦ２は、シートＳ２を縦折りし、所定の長さで横裁断し、横折りして折帖を形成し、新聞として排紙することができる。
【００４１】
図１に示すように、紙庫システム１００は、外部から搬送された複数の巻取紙Ｗを紙庫１０１に搬送して格納すると共に、印刷に必要な巻取紙Ｗを搬出して印刷機Ｐに搬送するものである。
【００４２】
巻取紙Ｗは、トラック１０２により搬送される。トラック１０２に積まれた巻取紙Ｗは、所定の位置でクレーンによりストレージテーブル１０３に降ろされ、搬入コンベアにより紙庫１０１における所定のラックに搬送されて保持される。バーコードリーダ（情報取込装置）１０４は、巻取紙Ｗに記載されているバーコードを読み取ることで、巻取紙Ｗの製造情報を取り込む。このバーコードは、製紙会社、製紙工場、抄造機、抄造月日、ロット番号、紙種（品種、連数、巻幅等）などが番号化されたものである。なお、品種とは、紙の厚さ（製紙会社によって若干違う）であり、連数とは、印刷可能部数１０００部を１単位（１連）として表したものであり、巻幅とは、巻取紙Ｗの幅方向の長さである。
【００４３】
また、紙庫１０１にある巻取紙Ｗは、印刷機Ｐで使用するとき、必要となる複数の巻取紙Ｗが印刷機Ｐに搬出される。紙庫１０１にある巻取紙Ｗは、搬出コンベアによりを外部まで搬出され、ワンプ開梱装置により包装されているワンプが除去されて移載置装置１０５まで運ばれる。移載置装置１０５は、ワンプが除去された巻取紙Ｗを自動搬送台車（ＡＧＶ：Ａｕｔｏｍａｔｉｃ  Ｇｕｉｄｅｄ  Ｖｅｈｉｃｌｅ）１０６により印刷機Ｐの給紙装置Ｒまで搬出する。自動搬送台車１０６により給紙装置Ｒに搬送された巻取紙Ｗは、自動装着機により保持アームに装着される。
【００４４】
また、紙庫システム１００にて、紙庫制御装置１１１は、紙庫１０１、移載置装置１０５、自動搬送台車１０６などを制御可能であると共に、バーコードリーダ１０４が読み込んだ巻取紙Ｗの製造情報が入力される。また、紙庫制御装置１１１は、操作部１１２と表示部１１３と記憶部１１４が接続されている。操作部１１２は、作業者が作業内容などを入力するものであり、表示部１１３は、紙庫１０１の管理状態が表示される。記憶部１１４は、紙庫１０１に保持された巻取紙Ｗの情報、つまり、バーコードリーダ１０４により読み込まれた巻取紙Ｗの製造情報や紙庫１０１における巻取紙Ｗの位置情報などを記憶する。
【００４５】
一方、印刷システム１０にて、印刷機制御装置１１は、印刷機Ｐを制御可能であると共に、紙庫システム１００の紙庫制御装置１１１と各種の情報の入出力が可能となっている。また、印刷機制御装置１１は、操作部１２と表示部１３と記憶部１４が接続されている。操作部１２は、作業者が印刷作業内容などを入力するものであり、表示部１３は、印刷機Ｐの運転状態が表示される。記憶部１４は、印刷機Ｐにおける各種の印刷設定値を記憶する。また、印刷機制御装置１１は、紙庫制御装置１１１が接続されており、紙庫制御装置１１１から紙庫１０１に保持された巻取紙Ｗの製造情報が入力されることから、記憶部１４は、紙庫制御装置１１１から入力された紙庫１０１で管理されている複数の巻取紙Ｗの製造情報を記憶する。この場合、印刷機制御装置１１は、巻取紙Ｗが紙庫１０１に搬入されたときに巻取紙Ｗの製造情報を受け取ってもよいし、巻取紙Ｗが紙庫１０１から印刷機Ｐに搬送されたときに巻取紙Ｗの製造情報を受け取ってもよい。また、印刷機Ｐが途中まで使用した巻取紙Ｗの製造情報は、記憶部１１４に記憶される。なお、記憶部１４に記憶してもよい。途中まで使用した巻取紙Ｗは、印刷機Ｐの近傍、または、紙庫１０１の近傍のハンガー（図示略）に保持されている。
【００４６】
印刷システム１０にて、印刷機Ｐによる印刷作業を実施する前に、作業者は、操作部１２を用いて印刷ジョブに応じて使用する巻取紙Ｗのサイズと印刷部数を入力し、この情報を印刷機制御装置１１を介して紙庫システム１００の紙庫制御装置１１１に指令する。紙庫制御装置１１１は、印刷機制御装置１１からの指令により指示されたサイズの巻取紙Ｗについて印刷部数に応じた量（個数）を紙庫１０１から印刷機Ｐに搬送する。印刷機制御装置１１は、印刷機Ｐによる印刷開始前の印刷準備作業にて、印刷に使用する巻取紙Ｗの製造情報を記憶部１４から取り出し、この巻取紙Ｗの製造情報に基づいて印刷機Ｐを制御する。この場合、印刷機制御装置１１は、巻取紙Ｗが紙庫１０１から印刷機Ｐに搬送されたときに巻取紙Ｗの製造情報を受け取って記憶部１４に記憶させるが、事前に巻取紙Ｗの製造情報を受け取っていれば、巻取紙Ｗの製造情報を記憶部１４から取り出す。
【００４７】
具体的に説明すると、実際の印刷作業時、または、試験的な印刷作業時に、所定の巻取紙Ｗに対して、その製造情報における厚さや材質を用いて作業者が手作業により印刷機Ｐにおける各種の調整作業を行う。この調整作業により得られた最適な印刷設定値を記憶部１４に記憶しておく。この最適な印刷設定値とは、例えば、印刷時に印刷設定値を調整した後、最適な印刷状態となったときの値、または、印刷終了後の値であり、巻取紙Ｗの製造情報と印刷設定値を関連付けて記憶部１４に記憶しておく。印刷機制御装置１１は、印刷に使用する巻取紙Ｗの製造情報に応じて設定された印刷設定値を記憶部１４から取り出し、この印刷設定値に基づいて印刷機Ｐを制御する。
【００４８】
ところで、印刷機Ｐは、図２に示すように、給紙装置Ｒとインフィード装置Ｉと印刷装置Ｕとウェブパス装置Ｄと折機Ｆとから構成されている。給紙装置Ｒは、巻取紙Ｗの種類（例えば、紙厚など）に応じて張力を調整する必要があり、ブレーキ装置におけるブレーキ力を調整する調整装置２１が設けられている。インフィード装置Ｉも、巻取紙Ｗの種類（例えば、紙厚など）に応じて張力を調整する必要があり、インフィードローラの位置を調整する調整装置２２が設けられている。印刷装置Ｕは、巻取紙Ｗの種類（例えば、紙厚など）に応じて駆動装置の駆動モータの出力を調整する必要があり、駆動モータの出力を調整する調整装置２３が設けられている。ウェブパス装置Ｄは、巻取紙Ｗの種類（例えば、紙厚など）に応じてシートＳの走行位置を調整する必要があり、調整装置２４が設けられている。折機Ｆは、巻取紙Ｗの種類（例えば、紙厚など）に応じてシートＳのニップ厚や折込ローラの隙間を調整する必要があり、これらを調整する調整装置２５，２６が設けられている。調整装置としては、その他に、湿し水の供給量を調整する調整装置、見当合わせを行うための調整装置などがある。
【００４９】
巻取紙Ｗの製造情報に応じて設定された印刷設定値は、上述した各調整装置２１，２２，２３，２４，２５，２６における調整設定値であり、記憶部１４は、巻取紙Ｗの製造情報とこの調整設定値（印刷設定値）を関連付けて記憶する。印刷機制御装置１１は、印刷する巻取紙Ｗの製造情報に基づいて記憶部１４に記憶されている各調整設定値（印刷設定値）を取り出し、この調整設定値に基づいて給紙装置Ｒ、インフィード装置Ｉ、印刷装置Ｕ、ウェブパス装置Ｄ、折機Ｆを調整する。
【００５０】
また、給紙装置Ｒ（ロール径計測装置）は、前述したように、一定期間内、巻取紙Ｗの外径の変化を計測することで、巻取紙Ｗから繰り出されるシートＳの厚さを算出している。巻取紙Ｗは、その使用環境により伸びや縮みが発生して厚さが変動するおそれがある。そのため、図１に示すように、印刷機制御装置１１は、巻取紙Ｗの製造情報におけるシートＳの厚さを、給紙装置Ｒが算出したシートＳの厚さにより補正する。具体的に、印刷機制御装置１１は、巻取紙Ｗの製造情報におけるシートＳの厚さを給紙装置Ｒが算出したシートＳの厚さに変更する。または、印刷機制御装置１１は、巻取紙Ｗの製造情報におけるシートＳの厚さと、給紙装置Ｒが算出したシートＳの厚さの平均値を使用する。
【００５１】
印刷システム１０は、印刷機Ｐによる印刷開始前の印刷準備作業として、前述したように、印刷に使用する巻取紙Ｗの製造情報に応じて設定された調整設定値（印刷設定値）に基づいて、給紙装置Ｒ、インフィード装置Ｉ、印刷装置Ｕ、ウェブパス装置Ｄ、折機Ｆを調整しておく。そのため、印刷機Ｐは、作業者が手作業により調整作業を行うことなく、印刷開始時から高精度の印刷品質を確保することができる。また、印刷機Ｐは、給紙装置Ｒで使用している巻取紙Ｗが少なくなると、使用中の巻取紙ＷのシートＳに新しい巻取紙ＷのシートＳを接続することで、紙継ぎを行う。このとき、使用する巻取紙Ｗは、例えば、製紙会社、製紙工場、抄造機械、紙種などに応じて紙厚さなどが若干変わる可能性がある。そのため、印刷機制御装置１１は、紙継ぎ装置の作動後に、紙継ぎがなされた巻取紙Ｗの製造情報に基づいて巻取紙Ｗの変更状態を判定し、巻取紙Ｗの交換時に巻取紙Ｗの種類（製紙会社、製紙工場、抄造機械、紙種などに応じた紙厚さなど）が変更されていれば、変更後の巻取紙Ｗの製造情報に応じて設定された調整設定値（印刷設定値）に基づいて、給紙装置Ｒ、インフィード装置Ｉ、印刷装置Ｕ、ウェブパス装置Ｄ、折機Ｆを調整する。この調整時期は、変更後の巻取紙ＷからのシートＳが到達するときである。
【００５２】
ここで、上述した印刷システム１０による印刷設定調整作業について説明する。図３は、印刷システムによる印刷設定調整作業を表すフローチャートである。
【００５３】
印刷システム１０による印刷設定調整作業において、図１及び図３に示すように、ステップＳ１１にて、印刷機制御装置１１は、紙庫システム１００の紙庫制御装置１１１に対して、使用する巻取紙Ｗのサイズと印刷部数を指令し、印刷機Ｐへの搬送を指示する。すると、紙庫制御装置１１１は、印刷機制御装置１１からの指令により指示されたサイズの巻取紙Ｗについて印刷部数に応じた量（個数）を所定個数だけ紙庫１０１から印刷機Ｐに搬送する。ステップＳ１２にて、印刷機制御装置１１は、印刷に使用する巻取紙Ｗの製造情報を記憶部１４または紙庫制御装置１１１から受け取る。ステップＳ１３にて、印刷機制御装置１１は、印刷に使用する巻取紙Ｗの製造情報（製紙会社、製紙工場、抄造機械、紙種など）に応じて設定された調整設定値（印刷設定値）を印刷機Ｐに入力し、給紙装置Ｒ、インフィード装置Ｉ、印刷装置Ｕ、ウェブパス装置Ｄ、折機Ｆを調整する。
【００５４】
ステップＳ１４にて、印刷機Ｐによる印刷が開始されたかどうかを判定し、印刷機Ｐによる印刷が開始されていないと判定（Ｎｏ）されると、ここで待機する。ここで、印刷機Ｐによる印刷が開始されたと判定（Ｙｅｓ）されると、ステップＳ１５にて、印刷機Ｐは印刷中となる。ステップＳ１６にて、印刷機Ｐによる印刷が終了したかどうかを判定し、印刷機Ｐによる印刷が終了していないと判定（Ｎｏ）されると、ステップＳ１７にて、紙継ぎ作業が実施されたかどうかを判定し、紙継ぎ作業が実施されていないと判定（Ｎｏ）されると、ステップＳ１５に戻る。一方、紙継ぎ作業が実施されたと判定（Ｙｅｓ）されると、ステップＳ１８にて、紙継ぎ作業時に、巻取紙Ｗの種類（製紙会社、製紙工場、抄造機械、紙種などに応じた紙厚さなど）が変更されたかどうかを判定する。
【００５５】
ここで、巻取紙Ｗの種類が変更されていないと判定（Ｎｏ）されると、ステップＳ１５に戻る。一方、巻取紙Ｗの種類が変更されたと判定（Ｙｅｓ）されると、ステップＳ１９にて、印刷機制御装置１１は、変更された巻取紙Ｗの製造情報（製紙会社、製紙工場、抄造機械、紙種など）に応じて設定された調整設定値（印刷設定値）を印刷機Ｐに再入力し、給紙装置Ｒ、インフィード装置Ｉ、印刷装置Ｕ、ウェブパス装置Ｄ、折機Ｆを調整する。
【００５６】
そして、ステップＳ１６にて、印刷機Ｐによる印刷が終了したと判定（Ｙｅｓ）されると、制御終了となる。
【００５７】
このように本実施形態の印刷システムにあっては、巻取紙Ｗから繰り出されるシートＳに対して印刷を行う印刷機Ｐと、印刷機Ｐにおける印刷設定値を調整する調整装置２１，２２，２３，２４，２５，２６と、巻取紙Ｗの製造情報を取り込むバーコードリーダ（情報取込装置）１０４と、バーコードリーダ１０４が取り込んだ巻取紙Ｗの製造情報に基づいて調整装置２１，２２，２３，２４，２５，２６を制御する印刷機制御装置１１とを設けている。
【００５８】
従って、印刷機制御装置１１は、バーコードリーダ１０４が取り込んだ巻取紙Ｗの製造情報に基づいて調整装置２１，２２，２３，２４，２５，２６を制御することで、印刷機Ｐにおける印刷設定値を調整する。同じ紙種の巻取紙Ｗであっても、紙厚が変動することがあり、この場合、巻取紙Ｗの製造情報に基づいて印刷設定値を調整するため、各種の印刷設定の調整を適正に行うことができる。その結果、印刷設定値の調整作業が容易となり、作業性の向上を図ることができる。また、適正な印刷設定値を用いることから、印刷品質の向上を図ることができる。
【００５９】
本実施形態の印刷システムでは、バーコードリーダ１０４は、巻取紙Ｗの表面に記載された製造情報を取り込む。従って、容易に巻取紙Ｗの製造情報を取り込むことができる。
【００６０】
本実施形態の印刷システムでは、バーコードリーダ１０４は、巻取紙Ｗが紙庫１０１に搬入されるときに巻取紙Ｗの表面に記載された製造情報を取り込む。従って、印刷機制御装置１１は、このときに取り込んだ巻取紙Ｗの製造情報を使用すればよく、作業性の向上を図ることができる。
【００６１】
本実施形態の印刷システムでは、バーコードリーダ１０４は、巻取紙Ｗの表面に記載されたバーコードを読み込むことで巻取紙Ｗの製造情報を取り込む。従って、容易に巻取紙Ｗの製造情報を取り込むことができる。
【００６２】
本実施形態の印刷システムでは、巻取紙Ｗを繰り出したシートＳを印刷ユニットＵ１〜Ｕ６に供給すると共にシートＳの厚さを算出する給紙ユニットＲ１〜Ｒ７が設けられ、印刷機制御装置１１は、バーコードリーダ１０４が取り込んだ巻取紙Ｗの製造情報を給紙ユニットＲ１〜Ｒ７が算出したシートＳの厚さにより補正する。従って、巻取紙Ｗは、その使用環境により伸びや縮みが発生して厚さが変動するおそれがあることから、印刷機制御装置１１は、巻取紙Ｗの製造情報を算出したシートＳの厚さにより補正することで、調整装置２１，２２，２３，２４，２５，２６を高精度に制御することができる。
【００６３】
本実施形態の印刷システムでは、給紙ユニットＲ１〜Ｒ７は、紙継ぎ装置が設けられ、印刷機制御装置１１は、紙継ぎ装置の作動後に、紙継ぎがなされた巻取紙Ｗの製造情報に基づいて調整装置２１，２２，２３，２４，２５，２６を制御する。従って、印刷途中であっても、調整装置２１，２２，２３，２４，２５，２６を高精度に制御することができる。
【００６４】
本実施形態の印刷システムでは、バーコードリーダ１０４が取り込んだ巻取紙Ｗの製造情報を記憶する記憶部１４，１１４を設け、印刷機制御装置１１は、記憶部１４，１１４に記憶されている巻取紙Ｗの製造情報に基づいて調整装置２１，２２，２３，２４，２５，２６を制御する。従って、複数種類の巻取紙Ｗに対応することができる。
【００６５】
本実施形態の印刷システムでは、印刷機制御装置１１は、途中まで使用した巻取紙Ｗの製造情報を記憶部１４，１１４に記憶する。従って、印刷時に、途中まで使用した巻取紙Ｗを使用しても、印刷機制御装置１１は、記憶部１４，１１４に記憶されている途中まで使用した巻取紙Ｗの製造情報に基づいて調整装置２１，２２，２３，２４，２５，２６を制御するため、調整装置２１，２２，２３，２４，２５，２６を適正に制御することができる。
【００６６】
本実施形態の印刷システムでは、記憶部１４は、巻取紙Ｗの製造情報に応じて調整された印刷設定値を記憶する。従って、印刷機制御装置１１は、記憶部１４に記憶された巻取紙Ｗの製造情報に応じた印刷設定値に基づいて調整装置２１，２２，２３，２４，２５，２６を制御するため、調整装置２１，２２，２３，２４，２５，２６を適正に制御することができる。
【００６７】
なお、本実施形態では、情報取込装置としてのバーコードリーダ１０４が巻取紙Ｗのワンプに記載されているバーコードを読み取ることで、巻取紙Ｗの製造情報を取り込むように構成したが、この構成に限定されるものではない。巻取紙Ｗは、ワンプを除去した後も、端面に製造情報が記載されており、この記載をカメラなどにより取り込むように構成してもよい。また、巻取紙Ｗの製造情報は、作業者が操作部１１２から直接入力してもよいし、情報端末などに手入力したものを紙庫制御装置１１１に取り込むようにしてもよい。
【００６８】
また、上述した実施形態では、印刷機として新聞用オフセット輪転印刷機Ｐを適用したが、商業用オフセット輪転印刷機、デジタル印刷機などに適用してもよい。
【符号の説明】
【００６９】
１０  印刷システム
１１  印刷機制御装置
１２  操作部
１３  表示部
１４  記憶部
１００  紙庫システム
１０１  紙庫
１０４  バーコードリーダ（情報取込装置）
１１１  紙庫制御装置
１１２  操作部
１１３  表示部
１１４  記憶部
Ｐ  新聞用オフセット輪転印刷機（印刷機）
Ｒ  給紙装置
Ｒ１〜Ｒ７  給紙ユニット
Ｉ  インフィード装置
Ｉ１〜Ｉ７  インフィードユニット
Ｕ  印刷装置
Ｕ１〜Ｕ６，Ｕ１１〜Ｕ６２  印刷ユニット
Ｄ  ウェブパス装置
Ｄ１，Ｄ２  ウェブパスユニット
Ｆ  折機
Ｆ１，Ｆ２  折ユニット
Ｓ  シート
Ｗ  巻取紙
【図１】
2019142027.tif 000003
【図２】
2019142027.tif 000004
【図３】
2019142027.tif 000005